(57)【要約】【課題】バックライトアセンブリ及びこれの組立方法が開示される。【解決手段】バックライトアセンブリは複数のランプ１０、収納容器、及びランプ接地部材を含む。ランプ接地部材は、収納容器の底板３２に接地された接地板４１及び接地板から突出して第１電極部１３に接触される複数の電極接地部４２を含む。電極接地部は、第１電極部の両側にそれぞれ接触される第１固定部４３及び第２固定部４４を含むことができる。ランプ接地部材は、接地板から延長されて第１固定部と第２固定部とが過度に離隔することを防止する離隔防止部を更に含むことができる。よって、ランプの第１電極部の接地のためのランプソケットなどの単品が省略され、バックライトアセンブリの組立工程の数を減少させることができる。【選択図】図４
2008098168.tif 000002
【特許請求の範囲】
【請求項１】
ランプ本体、前記ランプ本体の端部にそれぞれ形成された第１電極部及び第２電極部を含む複数のランプと、
前記ランプが配置される底板及び前記底板から延長されて収納空間を形成する側壁を含む収納容器と、
前記底板に接地された接地板及び前記接地板から突出して前記第１電極部に接触される複数の電極接地部を含むランプ接地部材と、を含むことを特徴とするバックライトアセンブリ。
【請求項２】
前記各電極接地部は、
前記接地板から延長され、前記第１電極部の一側に接触される第１固定部と、
前記接地板から延長され、前記一側に対向する前記第１電極部の他側に接触される第２固定部と、を含むことを特徴とする請求項１に記載のバックライトアセンブリ。
【請求項３】
前記第１固定部は、前記第２固定部に対して前記接地板の長手方向及び幅方向にそれぞれ離隔されたことを特徴とする請求項２に記載のバックライトアセンブリ。
【請求項４】
前記第１固定部及び第２固定部は、それぞれ前記接地板の一部が切開、及び上側に曲げられて形成されたことを特徴とする請求項３に記載のバックライトアセンブリ。
【請求項５】
前記幅方向から観察する場合、前記第１固定部及び第２固定部は’Ｙ’字形状に配置され、前記長手方向から観察する場合、前記第１固定部及び第２固定部は’１１’字形状に配置されたことを特徴とする請求項３または４に記載のバックライトアセンブリ。
【請求項６】
前記第１電極部から前記接地板に近接または離れるほど、前記第１固定部と第２固定部との離隔間隔が増加することを特徴とする請求項２〜５のいずれか１項に記載のバックライトアセンブリ。
【請求項７】
前記接地板は、
前記底板と対向し複数の前記電極の接地部が形成された上面部と、
前記上面部の縁部から延長されて前記底板に接触される側面部と、を含むことを特徴とする請求項２〜６のいずれか１項に記載のバックライトアセンブリ。
【請求項８】
前記上面部と側面部とが接する角には、前記電極接地部にそれぞれ対応して前記ランプの端部が配置されるガイド開口が形成されたことを特徴とする請求項７に記載のバックライトアセンブリ。
【請求項９】
前記ランプ接地部材は、前記接地板から第１固定部及び第２固定部の外側に延長されて前記第１固定部及び第２固定部が過度に離れることを防止する離隔防止部を更に含むことを特徴とする請求項２〜８のいずれか１項に記載のバックライトアセンブリ。
【請求項１０】
前記離隔防止部は、
前記接地板から延長して前記第１固定部の外側面の方向に配置された第１防止部と、
前記接地板から延長して前記第１固定部及び第２固定部を挟んで前記第１防止部と向い合うように配置された第２防止部と、を含むことを特徴とする請求項９に記載のバックライトアセンブリ。
【請求項１１】
前記離隔防止部は、前記接地板の幅方向の縁部領域から延長して前記ランプの第１電極部と対向し、互いに対向する両側端部から前記第１防止部及び前記第２防止部がそれぞれ延長された支持部を更に含むことを特徴とする請求項１０に記載のバックライトアセンブリ。
【請求項１２】
前記離隔防止部は、
前記接地板の幅方向の縁部領域から延長され、前記ランプの第１電極部と対向する支持部と、
前記支持部の上側縁部から前記接地板と並列に延長され、前記電極接地部を露出させる露出溝が形成され、前記露出溝の縁部から前記第１防止部及び前記第２防止部がそれぞれ延長された上板部と、を更に含むことを特徴とする請求項１０に記載のバックライトアセンブリ。
【請求項１３】
前記離隔防止部は、前記電極接地部の周りを囲むように前記接地板から突出したことを特徴とする請求項９に記載のバックライトアセンブリ。
【請求項１４】
前記ランプ接地部材は、
前記接地板から突出し、前記第１電極部を前記第１固定部と第２固定部との間に導く電極ガイド部を更に含むことを特徴とする請求項９に記載のバックライトアセンブリ。
【請求項１５】
前記電極ガイド部は、
前記支持板の縁部領域から突出し、前記第１電極部をガイドするガイド溝が形成された支持板と、
前記支持板から前記第１防止部の外側に延長された第１突起部と、
前記支持板から前記第２防止部の外側に延長された第２突起部と、を含むことを特徴とする請求項１４に記載のバックライトアセンブリ。
【請求項１６】
前記各電極接地部は、前記接地板の一部が切開、及び上側に曲げられて形成され、
前記電極接地部の上側縁部には前記第１電極部が配置される支持溝が形成されたことを特徴とする請求項１〜１５のいずれか１項に記載のバックライトアセンブリ。
【請求項１７】
前記ランプ接地部材を覆い、前記支持溝に結合して前記第１電極部を拘束する突出部が形成されたサイドカバーを更に含むことを特徴とする請求項１６に記載のバックライトアセンブリ。
【請求項１８】
前記サイドカバーは、
前記ランプとの干渉を防止する干渉防止溝が形成されたガイド板と、
前記底板を向い合うように前記ガイド板から延長され、背面に前記突出部が形成された上板と、を含むことを特徴とする請求項１７に記載のバックライトアセンブリ。
【請求項１９】
前記第２電極部にランプ駆動電源を印加する電源供給基板と、
前記第２電極部と結合して前記第２電極部と電源供給基板を電気的に接続させるランプホルダーと、を更に含むことを特徴とする請求項１〜１８のいずれか１項に記載のバックライトアセンブリ。
【請求項２０】
接地板、前記接地板から突出した電極接地部及び前記電極接地部それぞれの過度な離隔を防止する離隔防止部を有するランプ接地部材をボトムシャーシのうち、底板の第１側に接地させる段階と、
前記第１側に対向する第２側にはランプホルダーを配置させる段階と、
ランプ本体の両端部に形成された第１及び第２電極部をそれぞれ前記電極接地部及び前記ランプホルダーに配置させる段階と、
加圧装置を通じて前記第１及び第２電極部を加圧してそれぞれ前記電極接地部及び前記ランプホルダーに電気的に接続及び固定させる段階と、を含むことを特徴とするバックライトアセンブリの組立て方法。
【請求項２１】
前記第１及び第２電極部をそれぞれ前記電極接地部及び前記ランプホルダーに連結し固定させる段階において、前記第１及び第２電極部は同時に加圧されることを特徴とする請求項２０に記載のバックライトアセンブリの組立方法。
【請求項２２】
前記第１及び第２電極部をそれぞれ前記電極接地部及び前記ランプホルダーに連結し固定させる段階において、前記第１及び第２電極部は時間差をおいて加圧されることを特徴とする請求項２０に記載のバックライトアセンブリの組立方法。
【発明の詳細な説明】
【技術分野】
【０００１】
本発明は、バックライトアセンブリ及びこれの組立方法に係わり、より詳細には、複数のランプが自動組立工程で組み立てられるバックライトアセンブリ及びこれの組立方法に関する。
【背景技術】
【０００２】
一般的に、液晶表示装置のバックライトアセンブリは、光源であるランプを液晶パネルの背面に配置し液晶パネルに光を照射する直下方式と、液晶パネルの背面に導光板が準備され、ランプが導光板の少なくとも一つの側面に配置され導光板を通じて液晶パネルに光を照射するエッジ方式と、に区分される。直下方式は、エッジ方式に比べて光の均一性及び耐久性は低いが、複数のランプを並列に駆動するため、光利用の効率が優れており、高輝度を要求する大型液晶表示装置に主に用いられる。
【０００３】
ランプを一側で駆動する場合、ランプのホット電極にはランプ駆動電圧が印加され、ランプのコールド電極は接地される。ホット電極は、ランプホルダーまたはランプソケットを通じてインバータと電気的に接続することができる。ランプホルダーを用いる場合、ホット電極はランプホルダー、ランプホルダーに挿入されたホット電極にはんだ付けされたワイヤー、及びワイヤーの端部に形成されたコネクタを通じてインバータと電気的に接続することができる。
【０００４】
一方、コールド電極は、ランプホルダーまたはランプソケットを用いてボトムシャーシに接地することができる。ランプホルダーを用いる場合、コールド電極をランプホルダーに挿入し、コールド電極及びボトムシャーシにスクリューで締結された金属片をワイヤーで連結して、コールド電極をボトムシャーシに接地させることができる。
【０００５】
ランプソケットの場合、複数のランプソケットをボトムシャーシにスクリューで締結された金属材質のソケット整列板に結合させる。ここで、ランプソケットの端子はコールド電極及びソケット整列板に直接接触され、コールド電極はボトムシャーシに接地することができる。
【０００６】
前述したようなコールド電極の接地方式においては、ランプホルダー、ワイヤー、スクリュー、ランプソケット、及びソケット整列板など複数の単品が用いられる。なお、ランプホルダーまたはランプソケットそれぞれにランプ結合工程、はんだ付け工程、及びスクリュー締結工程などによってバックライトアセンブリの組立工程の段階が増加し、組立工程の自動化を達成するのに障害となるという問題点がある。
【発明の開示】
【発明が解決しようとする課題】
【０００７】
したがって、本発明は前記のような従来の問題点を勘案したものであって、本発明の目的は、複数のランプを接地させるための部品の数を減少させて自動組立工程で組立てられるバックライトアセンブリを提供することにある。
【０００８】
本発明の他の目的は、複数のランプを接地させるための部品の数を減少させてバックライトアセンブリを自動で組み立てる方法を提供することになる。
【課題を解決するための手段】
【０００９】
前記本発明の目的を実現するために、実施形態によるバックライトアセンブリは、複数のランプ、収納容器、及びランプ接地部材を含む。ランプは、ランプ本体の端部にそれぞれ形成された第１電極部及び第２電極部を含む。収納容器は、ランプの配置される底板及び前記底板から延長されて収納空間を形成する側壁を含む。ランプ接地部材は、接地板及び複数の電極接地部を含む。接地板は底板に接地され、各電極接地部は、接地板から突出して第１電極部に接触される。
【００１０】
各電極接地部は、第１固定部及び第２固定部を含むことができる。第１固定部は、接地板から延長され、第１電極部の一側に接触される。第２固定部は、接地板から延長され、一側に対向する第１電極部の他側に接触される。第１固定部は、前記第２固定部に対して前記接地板の長手方向及び幅方向にそれぞれ離隔されることができる。
第１電極部から接地板に近接または離れるほど、第１固定部と第２固定部との離隔間隔が増加することが可能である。
【００１１】
接地板は、上面部及び側面部を含むことができる。上面部は底板と対向し、上面部には複数の前記電極の接地部が形成される。側面部は、上面部の縁部から延長されて前記底板に接触される。
【００１２】
ランプ接地部材は、離隔防止部を更に含むことができる。離隔防止部は、接地板から第１固定部及び第２固定部の外側に延長されて前記第１固定部及び第２固定部が過度に離隔することを防止する。離隔防止部は、第１防止部及び第２防止部を含むことができる。第１防止部は、接地板から延長され第１固定部の外側面の方向に配置される。第２防止部は、接地板から延長して第１固定部及び第２固定部を挟んで前記第１防止部と向い合うように配置される。
【００１３】
ランプ接地部材は、電極ガイド部を更に含むことができる。電極ガイド部は、接地板から突出する。電極ガイド部は、第１電極部を第１固定部と第２固定部との間に導く。
【００１４】
他の実施形態で、各電極接地部は、接地板の一部が切開、及び上側に曲げられて形成され、電極接地部の上側縁部には第１電極部が配置される支持溝を形成することができる。
【００１５】
バックライトアセンブリは、サイドカバーを更に含むことができる。サイドカバーは、ランプ接地部材を覆う。サイドカバーには支持溝に結合して第１電極部を拘束する突出部を形成することができる。サイドカバーは、ガイド板及び上板を含むことができる。ガイド板には、ランプとの干渉を防止する干渉防止溝が形成される。上板は底板を向い合うようにガイド板から延長され、背面に突出部が形成される。
【００１６】
バックライトアセンブリは、電源供給基板及びランプホルダーを更に含むことができる。電源供給基板は、第２電極部にランプ駆動電源を印加する。ランプホルダーは、第２電極部と結合して前記第２電極部と電源供給基板を電気的に接続させる。
【００１７】
前記の本発明の他の目的を実現するために実施形態によるバックライトアセンブリの組立方法は、接地板、接地板から突出した電極接地部及び前記電極接地部それぞれの過度な離隔を防止する離隔防止部を有するランプ接地部材をボトムシャーシのうち、底板の第１側に接地させ、第１側に対向する第２側にはランプホルダーを配置させる段階と、ランプ本体の両端部に形成された第１及び第２電極部をそれぞれ電極接地部及び前記ランプホルダーに配置させる段階と、加圧装置を通じて前記第１及び第２電極部を加圧してそれぞれ前記電極接地部及び前記ランプホルダーに電気的に接続及び固定させる段階と、を含む。
【００１８】
第１及び第２電極部をそれぞれ前記電極接地部及び前記ランプホルダーに連結固定させる段階にて、前記第１及び第２電極部は同時に加圧することができる。
他の実施形態で、第１及び第２電極部をそれぞれ前記電極接地部及び前記ランプホルダーに連結固定させる段階にて、第１及び第２電極部は時間差をおいて加圧することができる。
【発明の効果】
【００１９】
このようなバックライトアセンブリ及びこれの製造方法によると、ランプの第１電極部を、従来より少ない数の単品で、自動組立の工程により収納容器に接地させることができるので、バックライトアセンブリの構成単品の個数を減少させ、より容易に組み立てることができる。
【発明を実施するための最良の形態】
【００２０】
以下、添付する図面を参照して本発明の望ましい実施形態を詳細に説明する。
【００２１】
バックライトアセンブリ
図１は、本発明の一実施形態によるバックライトアセンブリの分解斜視図である。
【００２２】
図１を参照すると、バックライトアセンブリ１００は、複数のランプ１０、収納容器３０、及びランプ接地部材４０を含む。
【００２３】
本実施形態で、ランプ１０は、冷陰極蛍光ランプ（Ｃｏｌｄ  Ｃａｔｈｏｄｅ  Ｆｌｕｏｒｅｓｃｅｎｔ  Ｌａｍｐ；ＣＣＦＬ）である。他の実施形態において、ランプ１０は、外部電極蛍光ランプ（Ｅｘｔｅｒｎａｌ  Ｅｌｅｃｔｒｏｄｅ  Ｆｌｕｏｒｅｓｃｅｎｔ  Ｌａｍｐ；ＥＥＦＬ）であってもよい。
【００２４】
ランプ１０は、ランプ本体１１、第１電極部１３、及び第２電極部を含む。
【００２５】
ランプ本体１１は、アルゴン及び水銀などの放電ガスが注入された直線形状の管であって、ランプ本体１１の内壁には蛍光体が塗布されている。第１電極部１３及び第２電極部は、ランプ本体１１の両端部に互いに対向するように配置されている。第１電極部１３及び第２電極部は、それぞれ放電電極及びリード線を含む。放電電極は、ランプ本体１１の内部に配置され、リード線は放電電極からランプ本体１１の外部に延長されている。以下、第１電極部１３及び第２電極部を、リード線を示すものとして用いる。
【００２６】
収納容器３０は、複数のランプ１０を収納する。収納容器３０は、底板３２、第１側壁３１、第２側壁３３、第３側壁３５、及び第４側壁３７を含む。
【００２７】
底板３２は、ほぼ長方形の形状を有することができ、第１側壁３１、第２側壁３３、第３側壁３５、及び第４側壁３７は、底板３２の４つの辺からそれぞれ延長され収納空間を形成する。
【００２８】
第１側壁３１及び第２側壁３３は、互いに対向するように配置され、第３側壁３５及び第４側壁３７は互いに対向して第１側壁３１及び第２側壁３３をそれぞれ連結することができる。
【００２９】
第３側壁３５及び第４側壁３７の上端には段付き部を形成することができる。第１側壁３１に隣接する底板３２にはスクリュー締結のための複数の第１締結ホール３４を形成することができる。第２側壁３３に隣接する底板３２には第２側壁３３に沿ってワイヤーの引出のための複数のワイヤー引出ホールを形成することができる。
【００３０】
バックライトアセンブリ１００は、ランプホルダー１５及びコネクタ１７を更に含むことができる。ランプホルダー１５は、第２電極部が形成されたランプ１０端部を収容する。一つのランプホルダー１５には二つのランプ１０が結合されている。ランプホルダー１５は第２側壁３３付近の底板３２に固定され、ランプホルダー１５に連結されたコネクタ１７は、ワイヤー引出ホールを通じて底板３２の背面に引出されることが可能である。
【００３１】
バックライトアセンブリ１００は、複数のランプサポータ２０を更に含むことができる。ランプサポータ２０は、底板３２に固定される。ランプサポータ２０は、ランプ１０を互いに並列に配置させ、ランプ１０が垂れ下がることを防止する。
【００３２】
図２は、図１で説明したランプ部材の斜視図である。図３は、図１で説明されたバックライトアセンブリの平面図である。
【００３３】
図２及び図３を参照すると、ランプ接地部材４０は、第１電極部１３が形成されたランプ１０の端部を支持する。ランプ接地部材４０は、導電性金属で形成することができる。ランプ接地部材４０は、第１側壁３１の付近に形成された第１締結ホール３４を覆うように底板３２に固定することができる。ランプ接地部材４０は、接地板４１及び複数の電極接地部４２を含む。
【００３４】
接地板４１は、上面部４６及び側面部４８を含むことができる。
【００３５】
上面部４６は、ほぼランプ１０の長手方向と垂直をなす方向に長く延長された４角形のプレート形状を有することができる。側面部４８は、上面部の４つの縁部からそれぞれ延長されて収納容器３０の底板３２に接触されて接地することができる。
【００３６】
上面部４６には、複数の電極接地部４２を一定の間隔に形成することができる。各電極接地部４２は、ランプ１０の第１電極部１３を固定し、第１電極部１３を底板３２に接地させる。
【００３７】
各電極接地部４２は、第１固定部４３及び第２固定部４４を含むことができる。第１電極部１３は、第１固定部４３と第２固定部４４との間に介在される。したがって、第１固定部４３は、棒形状を有する第１電極部１３の一側に接触され、第２固定部４４は、前記一側と対向する第１電極１３の他側に接触される。
【００３８】
第１固定部４３及び第２固定部４４は、それぞれ接地板４１の上面部４６の一部を切開して形成することができる。例えば、上面部４６の長手方向に沿って所定の幅で上面部４６の一部が切開された後、上側に曲げて第１固定部４３を形成することができる。第１固定部４３は、上面部４６とほぼ直交する方向に延長される。第１固定部４３の上端は、第１固定部４３の曲げられた方向に再度曲げられることが可能である。
【００３９】
第２固定部４４は、前記第１固定部４３から上面部４６の幅方向（ランプ１０の長手方向）及び上面部４６の長手方向にそれぞれ離隔された位置に形成することができる。上面部４６の一部が切開された後、第１固定部４３が曲げられた方向とは反射方向に曲げられて第２固定部４４を形成することができる。第２固定部４４の上端は第２固定部４４が曲げられた方向に再度曲げられることが可能である。
【００４０】
図４は、図１で説明したバックライトアセンブリをＩ−Ｉ’線に沿って見た断面図である。図５は、図１で説明したバックライトアセンブリをＩＩ−ＩＩ’線に沿って見た断面図である。
【００４１】
図４及び図５を参照すると、上面部４６の幅方向、即ち、ランプ１０の長手方向から観察する場合、第１固定部４３及び第２固定部４４は、ほぼ’Ｙ’字形状に配置することができる。上面部４６の長手方向から観察する場合、第１固定部４３及び第２固定部４４は、ほぼ’１１’字形状に配置することができる。
【００４２】
上面部４６と側面部４８とが接する接地板４１の角には複数のガイド開口４５を形成することができる。ガイド開口４５は、前記角から上面部４６の幅方向及び側面部４８の高さ方向にそれぞれ所定の深さに形成されることが可能である。ガイド開口４５は、ランプ１０と電極接地部４２との結合の際、ランプ１０の端部と接地板４１との間の干渉を防止する。他の実施形態で、第１固定部４３及び第２固定部４４の高さを十分に大きく形成する場合、前記角に形成されたガイド開口４５を省略してもよい。
【００４３】
電極接地部４２の間の上面部４６には、第２締結ホール４７を形成することができる。第２締結ホール４７は、底板３２に形成された第１締結ホール３４にそれぞれ対応するように整列される。
【００４４】
スクリュー４９は、それぞれ第１締結ホール３４及び第２締結ホール４７に結合され、ランプ接地部材４０を底板３２に固定する。これと異なる実施形態で、上面部４６には締結ホールが形成され、底板３２には締結ホールが挿入される締結突起を形成することができる。または、底板３２に締結ホールが形成され、上面部４６には締結突起を形成することができる。
【００４５】
バックライトアセンブリ１００は、電源供給基板５を更に含むことができる。電源供給基板５は、底板３２の背面に配置されてランプ駆動電圧を出力することができる。コネクタ１７は、ワイヤーを通じて第２電極部に電気的に接続することができる。ワイヤー引出ホールから引き出されたコネクタ１７は、電源供給基板５に形成される端子へ電気的に接続される。
【００４６】
ランプ駆動電圧が印加されると、第１電極部１３と第２電極部との間に電場が形成され、第２電極部からアーク放電が発生する。放電ガスはアーク放電によって紫外線を放出する。紫外線がランプ本体１１の内壁に塗布された蛍光体を通過して可視光線に変わる。
【００４７】
バックライトアセンブリ１００は、第１サイドカバー６１、第２サイドカバー６５、及び光学シート７０を更に含むことができる。
【００４８】
第１サイドカバー６１は、第１側壁３１に沿って配置され、ランプ１０の第１電極部１３を覆う。第１サイドカバー６１は第１ガイド板６２及び第１上板６４を含むことができる。
【００４９】
第１ガイド板６２は、第１側壁３１と向い合うように配置され、底板３２に接触することができる。第１ガイド板６２にはランプ１０との干渉を防止する干渉防止溝が形成されている。第１上板６４は、底板３２と向い合うように第１ガイド板６２から延長される。第１上板６４には後述する光学シート７０が配置される段付き部を形成することができる。
【００５０】
第２サイドカバー６５は、第２側壁３３に沿って配置されランプ１０の第２電極部を覆う。第２サイドカバー６５は、第２ガイド板６７及び第２上板６９を含むことができる。
【００５１】
光学シート７０は、ランプ１０から出射された光の輝度均一性及び正面輝度のような光学特性を向上させる。光学シート７０は、第１サイドカバー６１及び第２サイドカバー６５に形成された段付き部に積層された拡散板７１及び集光シート（７３、７５）を含むことができる。拡散板７１は、ランプ１０から出射された光の輝度均一性を向上させ、集光シート（７３、７５）は、拡散板７１から出射された光の正面輝度を向上させる。光学シート７０は、拡散板７１と集光シート（７３、７５）の間に介在される拡散シート及び底板３２に配置される反射シートを更に含むことができる。
【００５２】
図６は、本発明の実施形態によるバックライトアセンブリの分解斜視図である。
【００５３】
図７は、図６で説明したランプ接地部材の斜視図である。
【００５４】
図６及び図７を参照すると、バックライトアセンブリ２００は、複数のランプ２１０、収納容器２３０、及びランプ接地部材３００を含む。
【００５５】
ランプ２１０は、図１で説明されたランプ１０と実質的に同一である。ランプ２１０は、ランプ本体２１１、第１電極部２１３、及び第２電極部２１５を含む。
【００５６】
収納容器２３０は、図１で説明された収納容器３０と実質的に同一であってもよい。収納容器２３０は、電気導電性と強度の優れた金属材質からなることができる。
【００５７】
ランプ２１０は、底板２３２に互いに並列に複数個を配置することができる。
【００５８】
ランプ接地部材３００は、底板２３２に接地される。ランプ接地部材３００は、ランプ２１０の第１電極部２１３と電気的に接続される。したがって、ランプ接地部材３００は、ランプ２１０の第１電極部２１３を収納容器２３０の底板２３２に接地させる。
【００５９】
ランプ接地部材３００は、電気導電性の優秀な金属材質からなることができる。例えば、ランプ接地部材３００は、加工性が優秀であり、かつ電気伝導性も優秀な銅合金材質で構成することができる。
【００６０】
ランプ接地部材３００は、接地板３１０及び電極接地部３２０を含む。接地板３１０は、第１側壁２３１に沿って長く配置することができる。電極接地部３２０は、接地板３１０から突出され、それぞれの第１電極部２１３に対応する。電極接地部３２０は、第１電極部２１３に接触される。電極接地部３２０は、第１電極２１３を収納容器２３０上に固定、及び電気的に接地させることができる。
【００６１】
接地板３１０は、底板２３２とスクリュー締結されるために、電極接地部３２０の間に第１締結ホール３１２を形成することができる。底板２３２には、第１締結ホール３１２に対応する第２締結ホール２３４を形成することができる。第１及び第２締結ホール（３１２、２３４）は電極接地部３２０の間に全て形成することができ、一定個数の電極接地部３２０の間ごとに形成することができる。
【００６２】
第１及び第２締結ホール（３１２、３１４）のうち、少なくとも一つの内面はスクリュー締結のためにねじ立て（ｔａｐｐｉｎｇ）加工され、凹凸部を形成することができる。これとは異なり、接地板３１０と収納容器２３０は、第１及び第２締結ホール（３１２、２３４）を用いてリベット打ち（ｒｉｖｅｔｉｎｇ）されることが可能である。
【００６３】
このように、ランプ２１０は単品のランプ接地部材３００を通じて第１電極部２１３を電気的に接続および固定しかつ収納容器２３０の底板２３２に接地されることによって、製造コストを低減することができる。
【００６４】
一方、バックライトアセンブリ２００は、電源供給基板２６０及びランプソケット２５０を更に含むことができる。
【００６５】
電源供給基板２６０は、底板２３２の背面に配置されてランプ２１０の第２電極部２１５にランプ駆動電源を印加する。ランプソケット２５０は、電源供給基板２６０及び底板２３２に形成された結合ホールを貫通するように配置することができる。第２電極部２１５は、ランプソケット２５０に別途の加圧装置によって簡単に電気的に接続及び固定されることが可能である。ランプソケット２５０は、第２電極部２１５と電源供給基板２６０を電気的に接続する。
【００６６】
バックライトアセンブリ２００は、拡散板２７０、集光シート２８０、及び反射板２４０を更に含むことができる。
【００６７】
拡散板２７０及び集光シート２８０は、ランプ２１０の上部に順次に積層される。拡散板２７０は、ランプ２１０から出射される光の輝度均一性を向上させる。集光シート２８０は拡散板２７０から出射される光の正面輝度を向上させる。反射板２４０は、ランプ２１０と収納容器２３０の底板２３２との間に配置され、ランプ２１０から出射された光を上部に反射させる。図６に示したこととは異なり、ランプ接地部材３００のスクリュー締結のために、反射板２４０の一側縁部には第１締結溝３１２に対応する部分を除去して凹凸パターンを形成することができる。
【００６８】
図８は、図７で説明したランプ接地部材の一部を拡大した斜視図である。図９は、図７で説明したランプ接地部材を図８と異なる方向から見た斜視図である。図１０は、図７で説明したランプ接地部材の側面図である。
【００６９】
図８、図９、及び図１０を参照すると、電極接地部３２０は、第１固定部３２２及び第２固定部３２４を含むことができる。
【００７０】
第１及び第２固定部（３２２、３２４）は、接地板３１０から延長され、接地板３１０の長手方向に互いに向い合うように配置することができる。第１固定部３２２及び第２固定部３２４は、それぞれクランプ（ｃｌａｍｐ）形状を有することができる。
【００７１】
第１固定部３２２は、接地板３１０の長手方向に沿った第１電極部２１３の一側を囲みながら接触する。第２固定部３２４は、前記一側に対向する第１電極部２１３の他側を囲みながら接触する。その結果、第１固定部３２２及び第２固定部３２４は、第１電極部２１３を底板２３２上に固定および電気的に接地させる。
【００７２】
第１電極部２１３が固定された位置から接地板３１０から遠くなるほど第１及び第２固定部（３２２、３２４）間の離隔距離が増加することが可能である。即ち、第１及び第２固定部（３２２、３２４）は、第１電極部２１３の上部で所定の角度に開かれた構造で形成することができる。言い換えれば、第１及び第２固定部（３２２、３２４）は、第１電極部２１３が固定される固定領域より、挿入される挿入領域を更に広く形成することができる。
【００７３】
第１電極部２１３は、第１及び第２固定部（３２２、３２４）の挿入領域を容易に通過して第１及び第２固定部（３２２、３２４）の固定領域に固定することができる。ここで、第１及び第２固定部（３２２、３２４）のうち、第１電極部２１３の直上部分は、第１電極部２１３が固定領域から離脱することを防止するために、強く拘束されることが望ましい。
【００７４】
一方、第１電極部２１３が第１及び第２固定部（３２２、３２４）に結合される工程は、加圧装置によって自動的に第１及び第２固定部（３２２、３２４）を互いに離隔させる方式で行うことができる。これとは違って、前記工程は作業者によって手作業で行うこともできる。
【００７５】
第１及び第２固定部（３２２、３２４）は、第１電極部２１３が固定された位置から接地板３１０に近接するほど、互いに離隔間隔が増加することが可能である。即ち、第１及び第２固定部（３２２、３２４）は、第１電極部２１３の下部で所定の角度に開かれた構造で形成することができる。
【００７６】
第１及び第２固定部（３２２、３２４）が前述したような形状を有することによって、第１及び第２固定部（３２２、３２４）は、その形状を維持しようとする強い弾性を有することができる。第１及び第２固定部（３２２、３２４）の間に介在された第１電極部２１３は、第１及び第２固定部（３２２、３２４）が相互に離隔される前の形状を回復しようとする弾性力によって第１及び第２固定部（３２２、３２４）の間に堅固に固定される。
【００７７】
第１及び第２固定部（３２２、３２４）は、接地板３１０の一部が切開及び上側に曲げて形成することができる。これによって、接地板３１０には電極接地部３２０に対応する対向部３１４を形成することができる。開口部３１４は、第１電極部２１３から発生した熱を放出させるに有効に機能することができる。
【００７８】
一方、ランプ接地部材３００は、離隔防止部３３０を更に含むことができる。
【００７９】
離隔防止部３３０は、接地板３１０から延長され、電極接地部３２０の外側に配置することができる。離隔防止部３３０は、第１電極部２１３を第１及び第２固定部（３２２、３２４）の間に結合させる前記工程で、第１及び第２固定部（３２２、３２４）が互いに過度に離隔することを防止して第１及び第２固定部（３２２、３２４）が変形することを防止する。
【００８０】
離隔防止部３３０は、第１防止部３３６及び第２防止部３３８を含むことができる。第１防止部３３６は、接地板３１０から延長され、接地板３１０の長手方向に第１固定部３２２の外側面の方向に配置することができる。第２防止部３３８は、接地板３１０から延長され、第１固定部３２２及び第２固定部３２４を挟んで第１防止部３３６と向い合うように配置することができる。
【００８１】
第１固定部３２２及び第２固定部３２４が互いに若干離隔されると、第１固定部３２２は第１防止部３３６に、第２固定部３２４は第２防止部３３８にそれぞれ接触される。第１防止部３３６及び第２防止部３３８は、高い剛性を有し、第１固定部３２２及び第２固定部３２４が互いに過度に離隔することを防止する。
【００８２】
第１固定部３２２及び第２固定部３２４の外側に第１防止部３３６及び第２防止部３３８が配置されるように離隔防止部３３０が有する構造は、多様に変更することができる。
【００８３】
例えば、離隔防止部３３０は、支持部３３２及び上板部３３４を更に含むことができる。
【００８４】
支持部３３２は、接地板３１０の幅方向の縁部領域から延長され第１電極部２１３と向い合うように配置することができる。支持部３３２は、第１電極部２１３から発生した熱をより効果的に放出させるために、中間のうちの一部を開口することができる。
【００８５】
上板部３３４は、支持部３３２の上側縁部から接地板３１０と並列に延長することができる。上板部３３４には、第１固定部３３２及び第２固定部３２４を露出させる露出溝３３５を形成することができる。露出溝３３５の縁部から前記第１防止部３３６及び前記第２防止部３３８がそれぞれ延長され、第１固定部３２２及び第２固定部３２４の外側にそれぞれ配置することができる。
【００８６】
第１防止部３３６は、露出溝３３５の一側縁部から接地板３１０と垂直する方向に沿って延長され、第１固定部３２２の外則に配置することができる。第２防止部３３８は、露出溝３３５の他側縁部から接地板３１０と垂直する方向に沿って延長され、第２固定部３２４の外側に配置することができる。第２防止部３３８は、電極接地部３２０を基準に第１防止部３３６と実質的に対称をなすように配置することができる。
【００８７】
第１及び第２防止部（３３６、３３８）は、第１及び第２固定部（３２２、３２４）の離隔が第１電極部２１３を固定するのに十分なだけ第１及び第２固定部（３２２、３２４）と離隔されて形成される。なお、第１及び第２防止部（３３６、３３８）の間の幅は、第１及び第２固定部（３２２、３２４）の間の幅より広いか等しいことが望ましい。これによって、第１及び第２防止部（３３６、３３８）は、第１及び第２固定部（３２２、３２４）が加圧装置よって過度に離隔して損傷が発生することを防止することができる。
【００８８】
即ち、第１及び第２防止部（３３６、３３８）は、第１及び第２固定部（３２２、３２４）が過度に離隔して折れるか、応力によって完璧に元に戻ることができないことによって、第１電極２１３が完璧に固定されないことを防止することができる。このような損傷は、第１電極部２１３を自動化工程によって第１及び第２固定部（３２２、３２４）に固定する場合、作業効率面から致命的な結果をもたらすおそれがある。一例として、自動化工程の後、別途の検査工程を精密に進行する必要があるので、作業時間が増加するおそれがある。
【００８９】
離隔防止部３３０は、接地板３１０の形成時、ランプ２１０の反対側に支持部３３２、上板部３３４、第１防止部３３６、及び第２防止部３３８に該当する部分を延長した後、これを順次に湾曲して形成することができる。これと異なり、離隔防止部３３０は別途に製作した後、溶接のような接合方式を用いて接地板３１０に接合することができる。
【００９０】
ランプ接地部材３００は、電極ガイド部３４０を更に含むことができる。
【００９１】
電極ガイド部３４０は、接地板３１０から突出して第１電極部２１３を第１固定部３２２と第２固定部３２４との間に導くことができる。電極ガイド部３４０は、支持板３４２、第１突起部３４４、及び第２突起部３４６を含むことができる。
【００９２】
支持板３４２は、接地板３１０の幅方向の縁部領域から突出して支持部３３２と向い合うように配置することができる。支持板３４２は、接地板３１０の幅方向の縁部のうち、ランプ２１０に対応する部分が延長し曲げられて形成されることが可能である。支持板３４２には第１電極部２１３に対応する位置に第１電極部２１３を支持するためのガイド溝３４３を形成することができる。
【００９３】
支持板３４２は、接地板３１０に形成された開口部３１４によって接地板３１０と部分的に連結することができる。
【００９４】
加工の便宜及び外部力による変形を防止するために、前記長手方向に沿った支持板３４２の互いに対向する端部から前記第１突起部３４４及び第２突起部３４６を延長することができる。第１突起部３４４及び第２突起部３４６は、接地板３１０と連結することができる。
【００９５】
第１突起部３４４は、支持板３４２の一側の端部から延長され接地板３１０の長手方向に沿った第１防止部３３６の外側に配置することができる。第２突起部３４６は、支持板３４２の他側端部から延長されて接地板３１０の長手方向に沿う第２防止部３３８の外側に配置することができる。
【００９６】
前記加圧装置が第１電極部２１３を自動的に第１及び第２固定部（３２２、３２４）に結合させる工程において、第１及び第２突起部（３４４、３４６）は、第１防止部３３６及び第２防止部３３８とともに第１及び第２固定部（３２２、３２４）が互いに過度に離隔することを防止する。したがって、第１及び第２固定部（３２２、３２４）が互いに過度に離隔して損傷することをより確実に防止することができる。
【００９７】
図１１は、本発明の実施形態によるバックライトアセンブリが含むランプ接地部材の一部の斜視図である。図１２は、図１１で説明したランプ接地部材の平面図である。
【００９８】
図１１及び図１２を参照すると、本実施形態で、バックライトアセンブリは、ランプ接地部材を除いては、図６、図７、図８、図９、及び図１０で説明したバックライトアセンブリと実質的に同一である。
【００９９】
ランプ接地部材５５０は、離隔防止部５７０を除いては、図６、図７、図８、図９、及び図１０で説明したランプ接地部材３００と実質的に同一であってもよい。
【０１００】
離隔防止部５７０は、支持部５７２、第１防止部５７４、及び第２防止部５７６を含むことができる。
【０１０１】
支持部５７２は、接地板５５５の幅方向の縁部領域から延長され、第１電極部２１３と向い合うように配置することができる。
【０１０２】
第１防止部５７４は、接地板５５５の長手方向に沿う支持部５７２の一側端部から延長され、電極接地部５６０のうち、第１固定部５６２の外側に配置することができる。第２防止部５７６は、接地板５５５の長手方向に沿った支持部５７２の他側の端部から延長されて電極接地部５６０のうち、第２固定部５６４の外側に配置することができる。
【０１０３】
例えば、接地板５５５と並列に延長された接地板５５５の一部が曲げられて接地板５５５とほぼ垂直な方向に支持部５７２を形成することができる。支持部５７２の一部が更に曲げられて第１及び第２防止部（５７４、５７６）を形成することができる。
【０１０４】
第１及び第２防止部（５７４、５７６）は、第１固定部５６２及び第２固定部５６４の変形をより強く防止するために接地板５５５に溶接して連結することができる。第１及び第２防止部（５７４、５７６）は、第１及び第２固定部（５６２、５６４）を幅方向に含みうる幅に延長することができる。
【０１０５】
第１及び第２防止部（５７４、５７６）を支持部５７２から直接的に延長して形成することで、離隔防止部５７０を形成するための工程を単純化することができる。
【０１０６】
一方、支持部５７２は、第１電極部２１３から発生した熱を放出するために中間の一部を開口することができる。また、第１及び第２防止部（５７４、５７６）は、それぞれの中間の一部が支持部５７２と同様の理由から開口することができる。
【０１０７】
接地板５５５の長手方向に沿った第１及び第２防止部（５７４、５７６）の外側には、電極ガイド部５４０から延長された第１及び第２突起部（５４４、５４６）を配置することができる。
【０１０８】
図１３は、本発明の実施形態によるバックライトアセンブリが含むランプ接地部材の一部の斜視図である。
【０１０９】
図１３を参照すると、本実施形態で、離隔防止部６９０が電極ガイド部の機能を含む形状を有することを除いては、図８、図９、及び図１０で説明した構造と実質的に同一である。
【０１１０】
ランプ接地部材６８０は、電極接地部６８６を囲むように接地板６８５から突出した離隔防止部６９０を含む。
【０１１１】
離隔防止部６９０は、ランプ２１０側に形成された第１防止面６９２、第１防止面６９２に対向しかつランプ２１０の反対側に形成された第２防止面６９４、第１及び第２防止面（６９２、６９４）０の間で電極接地部６８６の第１及び第２固定部（６８７、６８８）の外郭をガイドする第３及び第４防止面（６９６、６９８）を含む。
【０１１２】
第１防止面６９２には、ランプ２１０の第１電極部２１３を支持する電極支持溝６９３が形成される。第３及び第４防止面（６９６、６９８）は、第１及び第２固定部（６８７、６８８）の過度な離隔を効果的に防止するために第１及び第２固定部（６８７、６８８）の高さと同一であるか、所定差分更に高く形成することが望ましい。このような離隔防止部６９０は、別途に製作して溶接のような接合方式によって接地板６８５に接合することができる。
【０１１３】
これによって、離隔防止部６９０は、第３及び第４防止面（６９６、６９８）が第１及び第２防止面（６９２、６９４）によって支持されることによって、その固定力が向上することで、第１及び第２固定部（６８７、６８８）をより安定的に、ガイドすることができる。
【０１１４】
ここで、離隔防止部６９０は、第３及び第４防止面（６９６、６９８）が第１及び第２固定部（６８７、６８８）の過度な離隔を防止する役割を果たすので、実質的に第１及び第２防止面（６９２、６９４）は形成しなくてもよい。
【０１１５】
一方、第２防止面６９４は、第１電極部２１３から発生した熱を効率的に放出させるために、中間のうち、一部を開口することができる。また、第３及び第４防止面（６９６、６９８）は、第２防止面６９４と同様な理由により、中間のうち一部を開口することができる。
【０１１６】
図１４は、本発明の実施形態によるバックライトアセンブリの分解斜視図である。
【０１１７】
図１５は、図１４で説明されたランプ接地部材の斜視図である。図１４を参照すると、バックライトアセンブリ８００は、複数のランプ８１０、収納容器８３０、ランプ接地部材８４０、ランプホルダー８１５、コネクタ８１７、電源供給基板８０５、第１サイドカバー８６１、第２サイドカバー８６５、及び光学シート８７０を含む。バックライトアセンブリ８００は、ランプ接地部材８４０及び第１サイドカバー８６１を除いては図１、図２、図３、図４、及び図５で説明したバックライトアセンブリ１００と実質的に同一である。
【０１１８】
図１５を参照すると、ランプ接地部材８４０は、接地板８４１及び複数の電極接地部８４３を含む。接地板８４１は、ランプ８１０との干渉を防止するガイド開口が省略された点、及び電極接地部８４３の形状を除いては、図２で説明した接地板４１と実質的に同一である。
【０１１９】
したがって、接地板８４１は、上面部８４６及び側面部８４８を含む。上面部８４６には電極接地部８４３が一定の間隔に形成されている。電極接地部８４３の間にはそれぞれ第２締結溝８４７が形成されている。
【０１２０】
上面部８４６の一部が上面部８４６の幅方向に所定長さに切開された後、上側に曲げられて電極接地部８４３が形成される。電極接地部８４３は、上面部８４６とほぼ垂直をなす。上面部８４６は、プレートの形状を有し、前記幅方向に配置された側面部８４８と並列に形成される。
【０１２１】
電極接地部８４３の上側の縁部には湾曲した支持溝８４４が形成されている。支持溝８４４には、ランプ８１０の第１電極部８１３が配置される。ランプ８１０及び第１電極部８１３の損傷を防止するために、第１電極部８１３と電極接地部８４３との結合の際に、挿入力が不要であることが望ましい。したがって、支持溝８４４は、第１電極部８１３の直径または厚さより大きい幅で形成することが望ましい。
【０１２２】
図１６は、図１４で説明したサイドカバーの背面を示した斜視図である。図１７は、図１４で説明したバックライトアセンブリをＩＩＩ−ＩＩＩ’線に沿って見た断面図である。図１８は、図１４で説明したバックライトアセンブリをＩＶ−ＩＶ’線に沿って見た断面図である。
【０１２３】
図１６、図１７、及び図１８を参照すると、第１サイドカバー８６１は、支持板８６２及び上板８６４を含む。第１サイドカバー８６１は、上板の背面に突出部８６６が形成された点を除いては図１、図３、図４、及び図５で説明した第１サイドカバー６１と実質的に同一である。
【０１２４】
上板８６４の背面には、前述したように、ランプ８１０の各第１電極部８１３に対応して複数の突出部８６６が形成されている。各突出部８６６は、図１７及び図１８に示すように、電極接地部８４３の支持溝８４４に一部挿入され第１電極部８１３に接触することができる。したがって、第１電極部８１３は、上下方向に拘束され、第１電極部８１３とランプ接地部材８４０との電気的接続の信頼性がより向上する。
【０１２５】
第２サイドカバー８６５は、第２側壁８３３に沿って配置されてランプ８１０の第２電極部を覆う。第２サイドカバー８６５は支持板８６７及び上板８６９を含む。
【０１２６】
本実施形態で、第１電極部８１３が形成されたランプ８１０の端部は、第２電極が形成されたランプ８１０の端部とは異なり、ランプホルダー８１５によって固定されない。電極接地部８４３の突出部が第１電極部８１３を固定させる固定力は、ランプホルダー８１５による固定力よりは小さくてもよい。したがって、外部の衝撃によって第１電極部８１３がランプ接地部材８４０から離隔する可能性を減少させるために、ランプサポータ８２０を第１電極部８１３に近接するように配置することが望ましい。
【０１２７】
バックライトアセンブリ
図１９は、本発明の実施形態によるバックライトアセンブリの組立方法を説明する側面図である。図２０は、加圧装置がランプの電極部を加圧してランプ接地部材に結合させることを説明する側面図である。
【０１２８】
図１９及び図２０を参照すると、バックライトアセンブリの組立はまず、収納容器２３０の底板２３２のうち、第１側にはランプ接地部材３００を配置させ、第１側に対向する第２側にはランプソケット２５０を配置させる。ここで、第１側は収納容器２３０のうち、第１側壁２３１に対応し、第２側は収納容器２３０のうち、第２側壁２３３に対応する。
【０１２９】
ランプ接地部材３００は一つの単品で構成され、接地板３１０、接地板３１０から突出して電極接地部３２０及び電極接地部３２０のそれぞれの過度な離隔を防止する離隔防止部３３０を含む。また、ランプソケット２５０は、光を発生する複数のランプ２１０にランプ駆動電源を印加する電源供給基板２６０に電気的に接続される。
【０１３０】
その後、ランプ２１０のうち、ランプ本体２１１の両端部に形成された第１及び第２電極部（２１３、２１５）を電極接地部３２０及びランプソケット２５０に配置する。ここで、ランプソケット２５０には電極接地部３２０のように第２電極部２１５を固定しうる電源印加部２５５が形成される。即ち、第２電極部２１５は、電源印加部２５５に配置される。
【０１３１】
最後に、加圧装置２０１を通じて第１及び第２電極部（２１３、２１５）を同時に加圧してそれぞれ電極接地部３２０及び電源印加部２５５に電気的に接続及び固定させる。ここで、電極接地部３２０と電源印加部２５５は、加圧装置２０１によって第１及び第２電極部（２１３、２１５）を自動的に固定させうる構造で形成される。
【０１３２】
ここで、加圧装置２０１は、支持台２０３及び、支持台２０３に結合される電極加圧部２０５を有している。電極加圧部２０５は、支持台２０３の第１電極部２１３と接する位置に、接地部３２０のうちの第１及び第２固定部（３２２、３２４）と逆の形状を有する。
【０１３３】
ここで、加圧装置２０１は、第１及び第２電極部（２１３、２１５）を同時に固定させるために、第１及び第２電極部（２１３、２１５）の数だけ電極加圧部２０５を含む必要がある。また、第１及び第２電極部（２１３、２１５）がランプ２１０の両端に形成されるので、支持台２０３はランプ２１０の面積に対応して形成される必要がある。
【０１３４】
電極加圧部２０５は、実質的に、第１電極部２１３と接触する部分であるので、電気的な不良を排除するために絶縁物質からなることが望ましい。一方、加圧装置２０１は、制御のための制御装置（図示せず）が基本的に含まれている。
【０１３５】
このように、バックライトアセンブリは、ランプ２１０を第１及び第２電極部（２１３、２１５）に結合する組立工程を自動化して、作業時間の短縮及び人件費の節減による製造コストの低減などの効果を得ることができる。
【０１３６】
図２１及び図２２は、本発明の実施形態によるバックライトアセンブリの組立方法を説明する側面図である。
【０１３７】
本実施形態で、バックライトアセンブリの組立方法は、ランプ２１０の第１及び第２電極部（２１３、２１５）が電極接地部３２０及び電源印加部２５５に接続される順序を除いては、図１９及び図２０で説明した組立方法と実質的に同一の段階を含む。
【０１３８】
図２１及び図２２を参照すると、まず、ランプ２１０の第１電極部２１３を、加圧装置２０２によってランプ接地部材３００の電極接地部３２０に電気的に接続および固定させる。
【０１３９】
次に、ランプ２１０の第２電極部２１５を、加圧装置２０２によってランプソケット２５０の電源印加部２５５に電気的に接続および固定させる。これによって、加圧装置２０２は、第１及び第２電極部（２１３、２１５）のうち、いずれか一つに対応する個数の電極加圧部２０６を含んでもよい。また、加圧装置２０２は、ランプ２１０の一端側でのみ対応する支持台２０４を含んでもよい。
【０１４０】
このように、ランプ２１０の第１及び第２電極部（２１３、２１５）の固定を、所定の時間差をおいて分けて進行することで、加圧装置２０２の大きさ及び構成を単純化することができる。これによって、バックライトアセンブリのランプ２１０を組み立てるための装置の設置面積を減少させることができる。
【０１４１】
これとは異なり、ランプ２１０の第２電極部２１５をまず、電源印加部２５５に電気的に接続および固定させた後、所定の時間差をおいてランプ２１０の第１電極部２１３を電極接地部３２０に電気的に接続および固定させることができる。
【０１４２】
以上で詳細に説明したような本発明によると、ランプ接地部材によってランプの電極部は収納容器に接地される。したがって、ランプの電極部を接地するためのランプホルダーまたはランプソケット、印刷回路基板（インバータスレーブ）、電極部と印刷回路基板とを連結するコネクタなどの単品が省略される。これによって、バックライトアセンブリの構成単品の個数が減少する。
【０１４３】
また、ランプ接地部材の電極接地部は’Ｙ’字形状を有するか、挿入力が不要であるように電極部が配置される固定溝を有する。したがって、ランプを収納容器上により効率的に自動で組み立てることができる。
【０１４４】
なお、電極接地部が加圧装置から離隔した後、弾性量によって元の状態に復帰する構造を有することによって、ランプの第１電極部を接地させる工程を自動化することができる。
【０１４５】
以上、本発明の実施形態によって詳細に説明したが、本発明はこれに限定されず、本発明が属する技術分野において通常の知識を有するものであれば、本発明の思想と精神を離脱することなく、本発明を修正または変更できる。
【図面の簡単な説明】
【０１４６】
【図１】本発明の実施形態にバックライトアセンブリの分解斜視図である。
【図２】図１で説明したランプ接地部材の斜視図である。
【図３】図１で説明したバックライトアセンブリの平面図である。
【図４】図１で説明されたバックライトアセンブリをＩ−Ｉ’線に沿って見た断面図である。
【図５】図１で説明したバックライトアセンブリをＩＩ−ＩＩ’線に沿って見た断面図である。
【図６】本発明の実施形態によるバックライトアセンブリの分解斜視図である。
【図７】図６で説明したランプ接地部材の斜視図である。
【図８】図７で説明したランプ接地部材の一部を拡大した斜視図である。
【図９】図７で説明したランプ接地部材を図８と異なる方向から見た斜視図である。
【図１０】図７で説明したランプ接地部材の側面図である。
【図１１】本発明の実施形態によるバックライトアセンブリが含むランプ接地部材の一部の斜視図である。
【図１２】図１１で説明したランプ接地部材の平面図である。
【図１３】本発明の実施形態によるバックライトアセンブリが含むランプ接地部材の一部の斜視図である。
【図１４】本発明の実施形態によるバックライトアセンブリの分解斜視図である。
【図１５】図１４で説明されたランプ接地部材の斜視図である。
【図１６】図１４で説明したサイドカバーの背面を示した斜視図である。
【図１７】図１４で説明したバックライトアセンブリをＩＩＩ−ＩＩＩ’線に沿って見た断面図である。
【図１８】図１４で説明したバックライトアセンブリをＩＶ−ＩＶ’線に沿って見た断面図である。
【図１９】本発明の実施形態によるバックライトアセンブリの組立方法を説明する側面図である。
【図２０】加圧装置がランプの電極部を加圧してランプ接地部材に結合させることを説明する側面図である。
【図２１】本発明の実施形態によるバックライトアセンブリの組立方法を説明する側面図である。
【図２２】本発明の実施形態によるバックライトアセンブリの組立方法を説明する側面図である。
【符号の説明】
【０１４７】
５    電源供給基板、
１０    ランプ、
１１    ランプ本体、
１３    第１電極部、
２０    ランプサポータ、
３０    収納容器、
３４    第１締結ホール、
４０    ランプ接地部材、
４１    上面部、
４２    電極接地部、
４３    第１固定部、
４４    第２固定部、
４５    ガイド開口、
４７    第２締結ホール、
４８    側面部、
６１、６５    サイドカバー、
６６    突出部、
７０    光学シート、
１００    バックライトアセンブリ。
【図１】
2008098168.tif 000003
【図２】
2008098168.tif 000004
【図３】
2008098168.tif 000005
【図４】
2008098168.tif 000006
【図５】
2008098168.tif 000007
【図６】
2008098168.tif 000008
【図７】
2008098168.tif 000009
【図８】
2008098168.tif 000010
【図９】
2008098168.tif 000011
【図１０】
2008098168.tif 000012
【図１１】
2008098168.tif 000013
【図１２】
2008098168.tif 000014
【図１３】
2008098168.tif 000015
【図１４】
2008098168.tif 000016
【図１５】
2008098168.tif 000017
【図１６】
2008098168.tif 000018
【図１７】
2008098168.tif 000019
【図１８】
2008098168.tif 000020
【図１９】
2008098168.tif 000021
【図２０】
2008098168.tif 000022
【図２１】
2008098168.tif 000023
【図２２】
2008098168.tif 000024